【手続補正書】
【提出日】平成29年7月11日(2017.7.11)
【手続補正１】
【補正対象書類名】特許請求の範囲
【補正対象項目名】全文
【補正方法】変更
【補正の内容】
【特許請求の範囲】
【請求項１】
画像のビデオストリーム（１３０）を受信すること（Ｓ０２）であって、前記ビデオストリームの各画像は、第１の複数のビットによって表される、受信するステップ（Ｓ０２）と、
前記ビデオストリームの各画像
2016096540.tif 000001
毎に、
前記画像
2016096540.tif 000002
が前記ビデオストリーム（１３０）の少なくとも１つの前の画像
2016096540.tif 000003
と異なる画素（４０６）を特定するために、前記画像
2016096540.tif 000004
を前記ビデオストリーム（１３０）の前記少なくとも１つの前の画像
2016096540.tif 000005
と比較するステップ（Ｓ０４ａ）と、
前記画像
2016096540.tif 000006
が前記ビデオストリーム（１３０）の前記少なくとも１つの前の画像
2016096540.tif 000007
と異なるこれらの画素（４０６、５０６）の前記画像
2016096540.tif 000008
を向上させるステップ（Ｓ０４ｂ）と
によって、前記画像のビデオストリーム（１３０）を向上させるステップ（Ｓ０４）と、
変換された画像のビデオストリーム（１５０）を製作するために、向上した前記画像のビデオストリーム（１３５）を変換すること（Ｓ０６）であって、変換された前記ビデオストリーム（１５０）の各画像は、前記第１の複数のビットより低い第２の複数のビットによって表される、変換するステップ（Ｓ０６）と、
動作検出処理を前記変換された画像のビデオストリーム（１５０）に適用するステップ（Ｓ０８）と
を含む、ビデオストリーム（１３０）の動作検出処理のための方法。
【請求項２】
前記ビデオストリーム（１３０）の前記画像の各画素は、第１のビット数によって表され、前記向上した画像のビデオストリーム（１３５）を変換する前記ステップ（Ｓ０６）は、前記変換されたビデオストリーム（１５０）の前記画像の各画素が、前記第１のビット数より低い第２のビット数によって表されるように、前記向上した画像のビデオストリーム（１３５）を変換することを含む、請求項１に記載の方法。
【請求項３】
前記画像
2016096540.tif 000009
を前記ビデオストリーム（１３０）の少なくとも１つの前の画像
2016096540.tif 000010
と比較する前記ステップ（Ｓ０４ａ）において、前記画像
2016096540.tif 000011
は、前記ビデオストリーム（１３０）の前記少なくとも１つの前の画像
2016096540.tif 000012
から形成される画像
2016096540.tif 000013
と比較される、請求項１に記載の方法。
【請求項４】
前記画像を向上させる前記ステップ（Ｓ０４）において、前記画像
2016096540.tif 000014
が前記ビデオストリームの前記少なくとも１つの前の画像
2016096540.tif 000015
と異なるこれらの画素（４０６、５０６）の画素値にオフセットが加えられる、請求項１から３の何れか一項に記載の方法。
【請求項５】
前記画像を向上させる前記ステップ（Ｓ０４）において、前記画像が前記ビデオストリームの前記少なくとも１つの前の画像と異なるこれらの画素（４０６、５０６）の画素値に利得係数が乗算される、請求項１から４の何れか一項に記載の方法。
【請求項６】
前記画像を向上させる前記ステップ（Ｓ０４）において、前記画像
2016096540.tif 000016
は、前記画像
2016096540.tif 000017
が前記ビデオストリームの前記少なくとも１つの前の画像
2016096540.tif 000018
と異なるこれらの画素（４０６、５０６）の周囲で更に向上する、請求項１から５の何れか一項に記載の方法。
【請求項７】
前記画像のビデオストリーム（１３０）を向上させる前記ステップ（Ｓ０４）は、前記ビデオストリーム（１３０）の画像
2016096540.tif 000019
毎に、
前記画像
2016096540.tif 000020
が前記ビデオストリームの前記少なくとも１つの前の画像
2016096540.tif 000021
と異ならないこれらの画素（４１０、５１０）の前記画像
2016096540.tif 000022
をノイズフィルタリングすること（Ｓ０４ｃ）
を更に含む、請求項１から６の何れか一項に記載の方法。
【請求項８】
前記ノイズフィルタリングすることは、前記ビデオストリームの前記少なくとも１つの前の画像
2016096540.tif 000023
を使用して、前記画像
2016096540.tif 000024
を時間的に平均することを含む、請求項７に記載の方法。
【請求項９】
前記変換された画像のビデオストリームを動作検出処理デバイスに提供することを更に含む、請求項１から８の何れか一項に記載の方法。
【請求項１０】
請求項１から９のいずれか一項に記載の方法を実行するためのコンピュータコード命令を有する非一時的なコンピュータ可読媒体を備えるコンピュータプログラム製品。
【請求項１１】
画像のビデオストリームを受信するように構成される受信機（２４２）であって、前記ビデオストリームの各画像が、第１の複数のビットによって表される、受信機（２４２）と、
前記ビデオストリームの画像毎に、
前記画像が前記ビデオストリームの少なくとも１つの前の画像と異なる画素を特定するために、前記画像を前記ビデオストリームの前記少なくとも１つの前の画像と比較することと、
前記画像が前記ビデオストリームの前記少なくとも１つの前の画像と異なるこれらの画素の前記画像を向上させることと
によって、前記画像のビデオストリーム（１３０）を向上させるように構成されるビデオストリーム向上構成要素（２４４）と、
変換された画像のビデオストリーム（１５０）を製作するために、向上した前記画像のビデオストリーム（１３５）を変換するように構成される変換構成要素（１４６、２４６）であって、前記変換された画像のビデオストリーム（１５０）の各画像は、前記第１の複数のビットより低い第２の複数のビットによって表される、変換構成要素（１４６、２４６）と、
変換された前記画像のビデオストリーム（１５０）を、ネットワーク（１８０）を介して、後続の動作検出処理のための動作検出デバイス（１６０）に送信するように構成される送信構成要素、及び
前記変換されたビデオストリーム（１５０）上で動作検出処理を実行するように構成される動作検出処理構成要素（２４８）
のうちの１つと、
を備える、デバイス（１４０、２４０）。
【請求項１２】
画像のビデオストリーム（１３０）を捕捉するように構成されるカメラ（１２０）と、
請求項１１に記載のデバイス（１４０、２４０）であって、前記カメラ（１２０）によって捕捉される前記画像のビデオストリーム（１３０）を受信するように構成されるデバイス（１４０、２４０）と
を備える、ビデオストリーム（１３０）の動作検出処理のためのシステム（１００、２００）。
【請求項１３】
変換されたビデオストリーム（１５０）を前記デバイス（１４０）から受信し、動作検出処理を前記変換されたビデオストリーム（１５０）に適用するように構成される動作検出処理デバイス（１６０）
を更に備える、請求項１２に記載のシステム（１００）。